(57)【特許請求の範囲】
【請求項１】
載置面上に移動可能に載置されるケーシング（２）と、該ケーシング（２）から突出し、該ケーシング（２）に内蔵された駆動装置により駆動される記録具支持アーム（６）と、前記記録具支持アーム（６）の先端に設けられ前記ケーシング（２）の前方の所定の印字作画範囲（３８）内に、文字等の印字作画情報を印字する記録具（１４）と、入力装置（３２）から入力される文字等の印字作画情報によって、前記駆動装置を制御するコントローラとを備え、前記記録具支持アーム（６）に保持した記録具（１２）を前記載置面に対して昇降制御しつつ前記記録具（１２）を前記印字作画範囲（３８）内で移動して、載置面上の用紙に印字作画を行なうようにしたレタリングマシンにおいて、前記記録具支持アーム（６）に可視光線投射器（１８）を取り付け、前記記録具支持アーム（６）をＸ−Ｙ方向に移動制御して、前記光線投射器（１８）の前記載置面上に投射される可視光線によって前記印字作画範囲（３８）の輪郭を前記載置面上に表示するようにしたことを特徴とするレタリングマシン。
【発明の詳細な説明】
【０００１】
【発明の属する技術分野】
本発明は、ケーシングを手操作によって製図板などの載置面上の用紙の所望の部分に移動し、ケーシングから突出する記録具支持アームをコントローラによって制御して、該支持アームに保持された記録具により、用紙上に所定の印字作画範囲内で、所望の文字、図形等を印字作画するようにしたレタリングマシンに関する。
【０００２】
【従来の技術】
実開昭６１−１１１７９２号（実公平３−２９１９５号）公報には、ケーシングを手操作によって製図板などの載置面上の用紙の所望の部分に移動し、ケーシングから突出する記録具支持アームをコントローラによって制御して、該支持アームに保持された記録具により、用紙上に、所望の文字、図形等を印字作画するようにしたレタリングマシンにおいて、ケーシングの前方に、アームによって機械的に、印字作画範囲を表示するようにした構成が開示されている。
【０００３】
【発明が解決しようとする課題】
レタリングマシンの前方に、機械的な構造によって、印字作画範囲を表示する構成は、機構が複雑となり、コスト高となるとともに、既存の、レタリングマシンに簡単に、印字作画範囲表示機構を付加することができないという問題点があった。
本発明は、上記問題点を解決することを目的とするものである。
【０００４】
【課題を解決するための手段】
上記目的を達成するため、本発明は、載置面上に移動可能に載置されるケーシング（２）と、該ケーシング（２）から突出し、該ケーシング（２）に内蔵された駆動装置により駆動される記録具支持アーム（６）と、前記記録具支持アーム（６）の先端に設けられ前記ケーシング（２）の前方の所定の印字作画範囲（３８）内に、文字等の印字作画情報を印字する記録具（１４）と、入力装置（３２）から入力される文字等の印字作画情報によって、前記駆動装置を制御するコントローラとを備え、前記記録具支持アーム（６）に保持した記録具（１２）を前記載置面に対して昇降制御しつつ前記記録具（１２）を前記印字作画範囲（３８）内で移動して、載置面上の用紙に印字作画を行なうようにしたレタリングマシンにおいて、前記記録具支持アーム（６）に可視光線投射器（１８）を取り付け、前記記録具支持アーム（６）をＸ−Ｙ方向に移動制御して、前記光線投射器（１８）の前記載置面上に投射される可視光線によって前記印字作画範囲（３８）の輪郭を前記載置面上に表示するようにしたものである。
【０００５】
【発明の実施の形態】
以下に本発明の構成を、添付した図面に示す本発明の実施の形態を参照して詳細に説明する。
図１において、（２）はレタリングマシン（４）のケーシングであり、図板（５）あるいはデスクなどの載置面上に載置するのに適した形状に構成されている。前記ケーシング（２）の前面には、Ｘ軸方向に沿って細長い開口部が形成されている。
【０００６】
（６）は記録具支持アームであり、先端側が前記開口部から前記ケーシング（２）の前方に水平に突出している。前記記録具支持アーム（６）は、前記ケーシング（２）の開口部に沿ってＸ軸方向に平行移動し、且つＹ軸方向に移動し得るように前記ケーシング（２）に内蔵されたガイド機構（図示省略）に支持されている。記録具支持アーム（６）は、ケーシング（２）に内蔵されたＸ軸方向移動用のＸモータ（８）と、Ｙ軸方向移動用のＹモータ（１０）に連係している。
【０００７】
（１２）は昇降板であり、ガイド機構（図示省略）を介して、前記記録具支持アーム（６）の先端に昇降可能に支持され、該昇降板（１２）の記録具保持穴に、中空ペン、ペンシル、セラミックペンなどの記録具（１４）のホルダー部が、脱着可能にねじ込まれている。前記昇降板（１２）は、ケーシング（２）に内蔵されたソレノイドなどのアクチュエータ（１６）にワイヤロープを介して連係し、該アクチュエータ（１６）によって、昇降方向に駆動されるように構成されている。
【０００８】
尚、前記昇降板（１２）の昇降機構及び前記記録具支持アーム（６）をＸ−Ｙ軸方向に駆動するアーム制御機構は、実公平３−１４３８９号公報に開示されている構成と同一であり、また、これらの機構は本発明の要旨ではないので、その詳細な説明は省略する。（１８）はレーザービーム投射器から成る可視光線投射器であり、前記記録具（１４）の隣に位置して、ビーム投射方向を下方に向けて、前記昇降板（１２）の保持穴に嵌合保持されている。
【０００９】
前記光線投射器は可視レーザービーム以外に、発光ダイオードその他の発光素子を用いたものを使用することができる。前記ＸＹモータ（８）（１０）、アクチュエータ（１６）及び光線投射器（１８）は、これらを駆動するためのドライバを介して、ケーシング（２）に内蔵されたマイクロコンピュータから成るコントローラのＣＰＵ（２０）に接続している。前記コントローラの記憶装置（２２）には、種々の記号、図形、文字パターン情報を含む、ワープロプログラムソフト、印字作画制御プログラムソフト印字作画範囲表示プログラムソフトその他のプログラムソフトが格納されている。
【００１０】
前記ケーシング（２）の上面には、表示装置（２４）の液晶表示画面（２６）と、文字記号入力キー（２８）や、その他各種キー（３０）を備えたキーボードから成る入力装置（３２）が配設されている。前記ケーシング（２）の前面には定規（３４）が取り付けられている。
次に、レタリングマシンの印字作画範囲表示プログラムソフトに基づく、動作について説明する。
文字記号入力キー（２８）を操作し、ＣＰＵ（２０）に文字等の印字作画情報を入力すると、画面（２６）に、入力印字作画情報が表示される。
【００１１】
次に、印字作画範囲表示キー（３４）を押すと、支持アーム（６）がＸＹモータ（８）（１０）によって駆動され、ケーシング（２）の前方の印字作画範囲（３８）の輪郭想像線上の所定の一点（ＰＯ）（図４参照）に、光線投射器（１８）のＸＹ可視光線投射位置が移動する。次に、コントローラによって、光線投射器（１８）がオン（発光状態）となり、可視光線が、用紙（３６）上の印字作画範囲の所定の一点（ＰＯ）をスポット状に投射する。次に、支持アーム（６）は、コントローラによって、ＸＹ方向に駆動され、光線投射器（１８）の可視光線は、印字作画範囲（３８）の輪郭想像線に沿って（Ｐ１）（Ｐ２）（Ｐ３）（Ｐ０）の順で移動し、用紙（３６）上に、可視光線によって、レタリングマシンの、印字作画範囲（３８）が、可視的に表示される。
【００１２】
印字作画情報が変わって、これに伴い、印字作画範囲が変われば、これに対応して、光線は、例えば、（Ｐ０）（Ｐ１'）（Ｐ２'）（Ｐ３'）（Ｐ０'）の順で移動し、表示される印字作画範囲が変更される。ユーザーは、用紙（３６）上における印字作画範囲（３８）を、光線で描かれた輪郭線によって確認しつつ、レタリングマシンの用紙（３６）上における位置を補正し、しかる後に、印字作画範囲表示キー（３２）を押して、印字作画範囲表示動作をオフとする。これにより、用紙上の印字作画範囲（３８）の光点による輪郭線は消える。
【００１３】
次に、印字作画スタートキー（４０）を押すと、レタリングマシンは、印字作画モードに移行する。印字作画モードに移行すると、記録具支持アーム（６）がＸＹ方向に移動制御され、且つ昇降板（１２）が昇降制御されて、用紙（３６）上の印字作画範囲（３８）に、所定の入力文字情報等が印字作図される。尚、本実施形態は、光線投射器（１８）を、昇降板（１２）に取り付けたが、特に昇降板（１２）に限定されるものでなく、支持アーム（６）の適所取り付けることができる。
【００１４】
【発明の効果】
本発明は、上述の如く構成したので、用紙上における印字作画範囲を視覚的に認識し得るので、用紙上の所望の位置に、文字、図形パターンを印字作画することができ、しかも、既存のレタリングマシンに簡単な機構で、印字作画範囲表示機能を付与することができる。
【図面の簡単な説明】
【図１】本発明であるレタリングマシンの平面図である。
【図２】Ａ−Ａ線断面図である。
【図３】本発明のブロック説明図である。
【図４】本発明の説明図である。
【符号の説明】
２      ケーシング
４      レタリングマシン
５      図板
６      記録具支持アーム
８      Ｘモータ
１０    Ｙモータ
１２    昇降板
１４    記録具
１６    アクチュエータ
１８    光線投射器
２０    ＣＰＵ
２２    記憶装置
２４    表示装置
２６    画面
２８    文字記号入力キー
３０    各種キー
３２    入力装置
３４    印字作画範囲表示キー
３６    用紙
３８    印字作画範囲
４０    印字作画スタートキー
【図１】
0003895430.tif 000002
【図２】
0003895430.tif 000003
【図３】
0003895430.tif 000004
【図４】
0003895430.tif 000005